(57)【特許請求の範囲】
【請求項１】
情報処理装置とデータ通信可能に接続され、カラーの原稿画像を読み取る画像読取手段と、
上記画像読取手段により得られたＲＧＢ基調のカラー画像データをＣＭＹ基調のカラー印刷データに変換するデータ変換手段と、
上記データ変換手段で変換された上記ＣＭＹ基調のカラー印刷データを上記情報処理装置に転送するデータ転送手段と、
上記情報処理装置から返信される上記ＣＭＹ基調のカラー印刷データを記憶する記憶手段と、
上記記憶手段に記憶された上記ＣＭＹ基調のカラー印刷データを読み出して上記記録用紙に印刷する印刷手段と、
を備え、さらに、
使用者が複数部数を複写するソートコピーとそのソートコピーにおけるソート部数を指定するために操作する操作手段と、
上記操作手段によりソートコピー及びソート部数が指定されると、指定されたソート部数を上記情報処理装置に送信するソート部数送信手段と、
上記ソート部数送信手段で上記ソート部数が送信された後に、上記画像読取手段による上記カラーの原稿画像の読取処理、上記データ変換手段による上記ＲＧＢ基調のカラー画像データのデータ変換処理及び上記データ転送手段による上記ＣＭＹ基調のカラー印刷データの転送処理を行わせるソートコピー制御手段と、
を備えたことを特徴とする画像処理装置。
【請求項２】
上記データ変換手段および上記データ転送手段は、論理回路により構成されていることを特徴とする、請求項１に記載の画像処理装置。
【請求項３】
上記情報処理装置は、パーソナルコンピュータであり、上記画像処理装置は、読取、印刷、複写およびファクシミリ通信の複合的機能を有するファクシミリ装置であることを特徴とする、請求項１または請求項２に記載の画像処理装置。
【発明の詳細な説明】
【０００１】
【発明の属する技術分野】
本発明は、たとえばパーソナルコンピュータなどの情報処理装置に接続して使用され、読取、印刷、ならびに複写といった複合的機能を有する画像処理装置に関する。
【０００２】
【従来の技術】
最近におけるファクシミリ装置などの複合的機能を有する画像処理装置は、たとえばパーソナルコンピュータなどに接続して使用可能であり、昨今の使用者のニーズに応えて、１台の装置に読取、印刷、ならびに複写といった各種の機能が備えられている。
【０００３】
この種の画像処理装置は、もちろんコンピュータに接続することなくスタンドアローンの形態で使用することも可能であり、その場合、一般的な複写機と同様のデータ処理プロセスを通じてハードコピーを出力可能である。
【０００４】
一方、そのような複写機として使用する場合であっても、コンピュータ資源を有効に利用する形態としたカラーコピー対応の画像処理装置が開発されている。そのようなカラーコピー対応の画像処理装置では、コンピュータに接続された状態で、そのコンピュータのメモリなどをプリンタバッファとして利用する形態が採用されている。つまり、読取機能によってカラーの原稿画像から読み取られたＲＧＢ基調のカラー画像データは、一旦コンピュータのメモリに格納されるとともに、コンピュータ自体のデータ処理によってＣＭＹ基調のカラー印刷データに変換され、その後ＣＭＹ基調のカラー印刷データが画像処理装置に返送されて印刷処理が施されている。これにより、複数部数を複写するソートコピーなどのようにサイズの大きいカラー印刷データが膨大に生成される場合であっても、画像処理装置に内蔵された容量の小さいメモリのみを使用するのではなく、コンピュータに内蔵のメモリを有効に活用して効率的にコピー処理が行われている。
【０００５】
【発明が解決しようとする課題】
しかし、上記従来のカラーコピー対応の画像処理装置では、ソートコピーなどを行う場合、コンピュータのメモリを活用する方式を採用したことで、幾分かはコピー時間の短縮化が図られるが、ＲＧＢからＣＭＹ基調のデータに変換する処理をコンピュータに実行させていたために、その変換処理による時間分コピー処理全体に要する時間の短縮化が困難であるという難点があった。
【０００６】
本発明は、上記の点に鑑みて提案されたものであって、パーソナルコンピュータなどの情報処理装置に接続された形態で複写を行う場合、その情報処理装置自体の機能を有効に利用しつつ、複写に要する時間のさらなる短縮化を図ることができる画像処理装置を提供することを目的としている。
【０００７】
【課題を解決するための手段】
上記目的を達成するために、請求項１に記載した発明の画像処理装置は、情報処理装置とデータ通信可能に接続され、カラーの原稿画像を読み取る画像読取手段と、上記画像読取手段により得られたＲＧＢ基調のカラー画像データをＣＭＹ基調のカラー印刷データに変換するデータ変換手段と、上記データ変換手段で変換された上記ＣＭＹ基調のカラー印刷データを上記情報処理装置に転送するデータ転送手段と、上記情報処理装置から返信される上記ＣＭＹ基調のカラー印刷データを記憶する記憶手段と、上記記憶手段に記憶された上記ＣＭＹ基調のカラー印刷データを読み出して上記記録用紙に印刷する印刷手段と、を備え、さらに、使用者が複数部数を複写するソートコピーとそのソートコピーにおけるソート部数を指定するために操作する操作手段と、上記操作手段によりソートコピー及びソート部数が指定されると、指定されたソート部数を上記情報処理装置に送信するソート部数送信手段と、上記ソート部数送信手段で上記ソート部数が送信された後に、上記画像読取手段による上記カラーの原稿画像の読取処理、上記データ変換手段による上記ＲＧＢ基調のカラー画像データのデータ変換処理及び上記データ転送手段による上記ＣＭＹ基調のカラー印刷データの転送処理を行わせるソートコピー制御手段と、を備えたことを特徴としている。
【０００８】
このような画像処理装置によれば、読取処理によって得られたＲＧＢ基調のカラー画像データが印刷処理に適したＣＭＹ基調のカラー印刷データとして情報処理装置に転送されるので、その情報処理装置は、転送されたＣＭＹ基調のカラー印刷データを単に一旦記憶した後に読み出して画像処理装置に返送するだけで良く、ＲＧＢからＣＭＹへの複雑な変換処理を情報処理装置が実行することなく、その分複写に要する時間を大幅に短縮することができる。特に、複数部数を複写するソートコピーなどのようにサイズの大きいカラー印刷データが膨大に生成される場合に、複写に要する時間を大幅に短縮できる効果を奏する。
【０００９】
【００１０】
【００１１】
【００１２】
【００１３】
また、請求項２に記載した発明の画像処理装置は、請求項１に記載の画像処理装置であって、上記データ変換手段および上記データ転送手段は、論理回路により構成されていることを特徴とする。
【００１４】
このような画像処理装置によれば、請求項１に記載の画像処理装置による効果に加えて、カラーモードの変換処理が論理回路によって実現されているので、ハードウェアによる高速化が図られ、データ転送を含めた複写全体に要する時間をより大幅に短縮することができる。
【００１５】
さらに、請求項３に記載した発明の画像処理装置は、請求項１または請求項２に画像処理装置であって、上記報処理装置は、パーソナルコンピュータであり、上記画像処理装置は、読取、印刷、複写およびファクシミリ通信の複合的機能を有するファクシミリ装置であることを特徴としている。
【００１６】
このような画像処理装置によれば、請求項１または請求項２に記載の画像処理装置による効果に加えて、読取、印刷、ならびに複写といった複合的機能を有する一般的なファクシミリ装置に適用することができる。
【００１７】
【００１８】
【００１９】
【００２０】
【００２１】
【発明の実施の形態】
以下、本発明の好ましい実施の形態について図面を参照して具体的に説明する。
【００２２】
図１は、本発明にかかる画像処理装置をファクシミリ装置に適用した場合の一実施形態を示した回路ブロック図である。この図に示すように、ファクシミリ装置Ａは、他の情報処理装置である、たとえばパーソナルコンピュータＢに接続して使用可能であり、もちろんパーソナルコンピュータに接続することなくスタンドアローンの形態で使用することもできる。なお、パーソナルコンピュータＢは、プロセサ２１、ＲＯＭ２２、ＲＡＭ２３、インターフェース２４、およびモニタ部２５などを備えた一般的なものと同様であるため、その詳細な説明を省略する。
【００２３】
ファクシミリ装置Ａは、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、印刷部１２、操作部１３、および表示部１４を具備して構成されている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線１５により相互に接続されている。バス線１５には、アドレスバス、データバス、および制御信号線が含まれる。ゲートアレイ７には、読取部１１、印刷部１２、操作部１３、および表示部１４が接続されている。ＮＣＵ２には、公衆電話回線１６が接続されている。
【００２４】
ＣＰＵ１は、ファクシミリ装置Ａ全体を制御する。ＮＣＵ２は、公衆電話回線１６に接続されて網制御を行う。ＲＡＭ３は、充電電池などにより電源バックアップが施されており、ＣＰＵ１の作業領域や各種データの格納空間を提供する。モデム４は、ファクシミリデータの変調や復調などを行う。ＲＯＭ５は、各種のプログラムや設定値などのデータを記憶している。ＥＥＰＲＯＭ６は、各種のフラグや設定データなどを記憶する。ゲートアレイ７は、ＣＰＵ１の入出力インターフェースとして機能する。コーデック８は、ファクシミリデータの符号化や復号化を行う。ＤＭＡＣ９は、ＲＡＭ３へのデータの書き込みや読み出しを行う。
【００２５】
読取部１１は、光源やイメージセンサなどを備えており、読取原稿から画像を読み取ってＲＧＢ色に基づくカラーの画像信号を出力する。印刷部１２は、たとえばインクジェット方式などの印刷装置を備えており、ＣＭＹ基調の印刷データに基づいて記録用紙上にカラー画像を形成する。操作部１３は、使用者の入力操作に応じた信号を出力する。表示部１４は、各種メッセージなどを表示する。なお、ここでいうＣＭＹ基調とは、ＲＧＢ色との補色関係から用いた語句であって、実際のＣＭＹ基調の印刷データには、Ｃ，Ｍ，Ｙ，Ｋ各色に対応した色データが含まれる。
【００２６】
本発明の要点について説明すると、ファクシミリ装置Ａは、その主要な機能であるファクシミリ通信機能とは別に、読取（スキャナ）、印刷（プリンタ）、ならびに複写（コピー）といった複合的機能を有しており、特に、カラーコピーを行う際は、パーソナルコンピュータＢのメモリであるＲＡＭ２３を有効に利用する方式が採用されている。このカラーコピーの際、まず、カラーの読取原稿が読取部１１にて読み取られることでカラー画像信号が得られる。そうして得られたカラー画像信号は、ゲートアレイ７によりデジタルのカラー画像データに変換されてパーソナルコンピュータＢに転送される。この際、読取処理により得られたカラー画像信号は、読取部１１での光学的特性などによりＲＧＢ基調のカラーモードであるが、そのカラー画像信号は、ゲートアレイ７によってデジタルデータに変換され、さらにＣＭＹ基調のデータに変換された後、パーソナルコンピュータＢに転送される。パーソナルコンピュータＢでは、ＣＭＹ基調のカラー画像データが一時的にＲＡＭ２３に格納された後、ＣＭＹ基調のカラー印刷データとしてファクシミリ装置Ａに返送され、そのカラー印刷データを受け取ったファクシミリ装置Ａでは、印刷部１２においてカラー印刷データに基づく印刷処理が施される。
【００２７】
つまり、カラーコピー処理によっては、入力媒体となる読取原稿から出力媒体となる記録用紙上にカラー画像が写し取られるが、そのコピー処理は、ファクシミリ装置Ａ内部の処理のみで完結することなく、パーソナルコンピュータＢのＲＡＭ２３を利用しつつ動作するものとされている。一方、コンピュータ資源を提供するパーソナルコンピュータＢは、既にカラー印刷データに適したＣＭＹ基調のカラーモードに変換されたカラー画像データを、ＲＡＭ２３を介して単にカラー印刷データとして返送するだけであり、ファクシミリ装置Ａとの間でデータ交換する動作を主に行うだけである。
【００２８】
また、スキャナ機能に基づいて動作する場合、読取部１１から得られたＲＧＢ基調のカラー画像信号は、ゲートアレイ７によってデジタルデータに変換された後、パーソナルコンピュータＢに転送される。この際、ＣＰＵ１は、そのＲＧＢ基調のカラー画像信号をゲートアレイ７によってＣＭＹ基調に変換させることなく、そのＲＧＢ基調のカラーモードを維持した状態でカラー画像データをパーソナルコンピュータＢに転送させる。
【００２９】
すなわち、読取部１１は、カラーの原稿画像を読み取る画像読取手段を実現している。
【００３０】
ゲートアレイ７は、画像読取手段により得られたカラー画像データを別の情報処理装置に転送するとともに、その転送に応じて情報処理装置から返送されたカラー印刷データを取り込むインターフェース手段を実現している。また、ゲートアレイ７は、インターフェース手段による転送前のカラー画像データを、カラー印刷データに適したカラーモードに変換するカラーモード変換手段を実現している。
【００３１】
印刷部１２は、インターフェース手段を介して取り込んだカラー印刷データに基づいて、用紙に印刷処理を施す画像印刷手段を実現している。
【００３２】
ＣＰＵ１は、カラー画像データを別の情報処理装置に対して一方的に送信する場合、カラーモード変換手段を動作させることなくインターフェース手段によりカラー画像データを転送させる転送形式切り換え手段を実現している。
【００３３】
なお、別の実施形態としては、ソフトウェアによりカラーモード変換処理を実行させる形態が考えられ、この場合、ＣＰＵ１は、インターフェース手段による転送前のカラー画像データを、カラー印刷データに適したカラーモードに変換するカラーモード変換手段を実現することとなる。
【００３４】
また、ＲＯＭ５は、カラーの原稿画像を読み取る画像読取手段と、上記画像読取手段により得られたカラー画像データを別の情報処理装置に転送するとともに、その転送に応じて上記情報処理装置から返送されたカラー印刷データを取り込むインターフェース手段と、上記インターフェース手段を介して取り込んだカラー印刷データに基づいて、用紙に印刷処理を施す画像印刷手段とを有する画像処理装置を制御するためのプログラムを記憶した記憶媒体であって、上記インターフェース手段による転送前の上記カラー画像データを、上記カラー印刷データに適したカラーモードに変換するためのカラーモード変換プログラムを含むプログラムを記憶した記憶媒体を実現することとなる。
【００３５】
次に、上記構成を有するファクシミリ装置Ａの動作について図面を参照して説明する。
【００３６】
図２は、ファクシミリ装置Ａのモード処理時におけるＣＰＵ１の動作手順を示したフローチャートである。なお、ファクシミリ装置Ａは、電源オンにより動作可能な状態とされたパーソナルコンピュータＢに接続されており、パーソナルコンピュータＢは、ファクシミリ装置Ａに連動して動作するためのプログラムが起動された状態であるとする。
【００３７】
図２に示すように、電源オンの状態でモード処理を開始したＣＰＵ１は、使用者が操作部１３の所定キーを操作することでコピーモードが選択されたか否かを判断する（Ｓ１）。なお、ここでいうコピーモードは、カラーコピーであって、別にモノクロコピーも可能であるが、本実施形態では、カラーコピー時の処理動作に特徴を有することから、モノクロコピー時の動作については、図示説明を省略する。
【００３８】
コピーモードが選択されると（Ｓ１：ＹＥＳ）、さらにＣＰＵ１は、使用者が操作部１３の所定キーやテンキーなどを操作することでソートコピーが指定されたか否かを判断する（Ｓ２）。
【００３９】
ソートコピーが指定された場合（Ｓ２：ＹＥＳ）、ＣＰＵ１は、ソートコピーに応じたソート部数をパーソナルコンピュータＢに通知する（Ｓ３）。ここで、ファクシミリ装置Ａ側で設定されたソート部数は、設定データとしてファクシミリ装置ＡのＲＡＭ３あるいはＥＥＰＲＯＭ６に一旦記憶され、パーソナルコンピュータＢにおいては、ファクシミリ装置Ａから通知されたソート部数がＲＡＭ２３に一旦記憶される。そうしてＲＡＭ２３に記憶されたソート部数は、後述する印刷処理によって印刷部数をカウントするために用いられる。
【００４０】
その後、ＣＰＵ１は、読取部１１により読取原稿の画像を読み取る読取処理を行わせる（Ｓ４）。この読取処理においては、重ねられた複数枚の読取原稿が１枚ずつ所定の読取位置まで引き込まれながら読み取られ、そうして得られたカラー画像信号は、ＲＧＢを基調としたカラーモードの信号として順次ゲートアレイ７に入力され、デジタルのカラー画像データに変換される。
【００４１】
そして、ＣＰＵ１は、ゲートアレイ７にＲＧＢ基調のカラー画像データをＣＭＹ基調のカラー画像データに変換させる（Ｓ５）。このようなＲＧＢからＣＭＹへのカラーモード変換処理は、カラー画像データにおいて各ＲＧＢ色を示す色データに対し、補色関係に基づいてビット反転処理を施すことにより行われており、読取処理と印刷処理における色のデータ形式が異なることからコピー機能などにおいて必須の処理とされている。
【００４２】
カラーモード変換処理によってＣＭＹ基調のカラー画像データを得たＣＰＵ１は、そのＣＭＹ基調のカラー画像データをゲートアレイ７によりパーソナルコンピュータＢに転送させる（Ｓ６）。
【００４３】
そして、ＣＭＹ基調の画像データ転送を開始させた後、ＣＰＵ１は、読取原稿の全枚数分に相当するカラー画像データの転送が完了したか否かを判断する（Ｓ７）。
【００４４】
読取原稿の全枚数分に相当するＣＭＹ基調のカラー画像データを転送完了すると（Ｓ７：ＹＥＳ）、ＣＰＵ１は、パーソナルコンピュータＢから返信される印刷処理に適したＣＭＹ基調のカラー印刷データをＲＡＭ３に順次取り込む（Ｓ８）。この際、パーソナルコンピュータＢにおいては、ファクシミリ装置Ａから転送されてきたＣＭＹ基調のカラー画像データが一時的にＲＡＭ２３に格納され、その後、ＲＡＭ２３から読み出されたカラー画像データがＣＭＹ基調のカラー印刷データとしてファクシミリ装置Ａに返送されている。つまり、パーソナルコンピュータＢは、主にＲＡＭ２３をプリンタバッファとして用いられるのみであって、単にそのＲＡＭ２３を介してファクシミリ装置Ａとの間でデータを交換するために利用されている。このようなパーソナルコンピュータＢは、ソート部数ごとにカラー印刷データをファクシミリ装置Ａに対して送信する。
【００４５】
ＣＭＹ基調のカラー印刷データをＲＡＭ３に取り込んだＣＰＵ１は、そのＲＡＭ３からＣＭＹ基調のカラー印刷データを読み出しつつ、そのカラー印刷データに基づいて印刷部１２により印刷処理を行わせる（Ｓ９）。こうしてソート部数全ての印刷が終了することにより、ＣＰＵ１は、以上説明したモード処理に関するプログラムの実行を終了する。
【００４６】
Ｓ７において、読取原稿の全枚数分に相当するＣＭＹ基調のカラー画像データの転送が完了しない場合（Ｓ７：ＮＯ）、ＣＰＵ１は、Ｓ４に戻って読取処理以降の処理を継続させる。
【００４７】
Ｓ２において、ソートコピーではなく単に１部数の単純コピーが選択された場合（Ｓ２：ＮＯ）、ＣＰＵ１は、Ｓ３の処理動作をスキップしてＳ４以降の処理動作を実行させる。
【００４８】
Ｓ１において、コピーモードが選択されない場合（Ｓ１：ＮＯ）、ＣＰＵ１は、コピーモードとは別のスキャナモードが選択されたか否かを判断する（Ｓ１０）。ここで、スキャナモードとは、読取処理により得られたカラー画像データをパーソナルコンピュータＢに一方的に転送するだけの機能である。このスキャナモードにおいてパーソナルコンピュータＢに転送されたカラー画像データは、モニタ部２５での表示データとして用いられたり、図示しないハードディスクなどの補助記憶装置にビットマップデータとして保存されることとなる。
【００４９】
スキャナモードが選択された場合（Ｓ１０：ＹＥＳ）、ＣＰＵ１は、上記Ｓ４と同様の読取処理を実行させる（Ｓ１１）。このＳ１１における読取処理においても、読取原稿の画像がＲＧＢ基調のカラー画像データとして得られることとなる。
【００５０】
ＲＧＢ基調のカラー画像データを得たＣＰＵ１は、そのＲＧＢ基調のカラー画像データをそのままゲートアレイ７によりパーソナルコンピュータＢに転送させる（Ｓ１２）。そうしてパーソナルコンピュータＢに転送されたＲＧＢ基調のカラー画像データは、ＲＡＭ２３に一旦格納され、その後パーソナルコンピュータＢのプロセサ２１によって各種の画像処理が施されてモニタ表示やデータ保存に用いられることとなる。
【００５１】
ＲＧＢ基調のカラー画像データを転送完了すると（Ｓ１３：ＹＥＳ）、ＣＰＵ１は、モード処理に関するプログラムの実行を終了する。
【００５２】
一方、Ｓ１３において、ＲＧＢ基調のカラー画像データの転送が完了しない場合（Ｓ１３：ＮＯ）、ＣＰＵ１は、Ｓ１１に戻って読取処理以降の処理を継続させる。
【００５３】
また、Ｓ１０において、スキャナモードが選択されない場合（Ｓ１０：ＮＯ）、ＣＰＵ１は、コピーモードもスキャナモードも選択されていない状態であると判断し、このモード処理を実行させることなく待機状態とする。
【００５４】
要点について要約すると、カラーコピー時において、カラーの原稿画像を読み取って得られたカラー画像データは、カラー印刷データに適したＣＭＹ基調のカラーモードに変換された後、別のパーソナルコンピュータＢに転送され、さらにその後、そのパーソナルコンピュータＢから返送されるカラー印刷データに基づいてファクシミリ装置Ｂにより印刷処理が施される。
【００５５】
したがって、上記構成、動作を有するファクシミリ装置Ａによれば、カラーコピーに際して読取処理により得られたＲＧＢ基調のカラー画像データは、一旦パーソナルコンピュータＢに転送されるのに際し、印刷処理に適したＣＭＹ基調のデータ形式に変換されるので、パーソナルコンピュータＢを一時的に利用する形態であっても、そのパーソナルコンピュータＢ自体は、カラーモードに基づくデータ形式の変換処理を実行することなく単にデータ転送を介助するだけであり、その分、他のパーソナルコンピュータＢを利用する形態でのカラーコピーに要する時間を従来に比べて短縮することができる。
【００５６】
なお、本実施形態においては、パーソナルコンピュータＢに接続された状態でコンピュータ資源を有効に活用する方式が採用されているが、もちろんパーソナルコンピュータＢに接続することなくスタンドアローンの形態で使用することも可能である。その場合、一般的な複写機と同様のデータ処理プロセスを通じてコピー処理が行われる。つまり、カラー画像データについてＲＧＢからＣＭＹにカラーモードを変換する処理は、本実施形態と同様の処理を経て生成されるが、そうして得られたＣＭＹ基調のカラー画像データは、スタンドアローンでの使用形態の場合、直接カラー印刷データとしてＲＡＭ３に一時的に格納されつつ用いられることとなる。
【００５７】
【発明の効果】
以上説明したように、請求項１に記載した発明の画像処理装置によれば、読取処理によって得られたＲＧＢ基調のカラー画像データが印刷処理に適したＣＭＹ基調のカラー印刷データとして情報処理装置に転送されるので、その情報処理装置は、転送されたＣＭＹ基調のカラー印刷データを単に一旦記憶した後に読み出して画像処理装置に返送するだけで良く、ＲＧＢからＣＭＹへの複雑な変換処理を情報処理装置が実行することなく、その分複写に要する時間を大幅に短縮することができる。また、複数部数を複写するソートコピーなどのようにサイズの大きいカラー印刷データが膨大に生成される場合に、特に複写に要する時間を大幅に短縮できる効果を奏する。
【００５８】
【００５９】
【００６０】
また、請求項２に記載した発明の画像処理装置によれば、請求項１に記載の画像処理装置による効果に加えて、カラーモードの変換処理が論理回路によって実現されているので、ハードウェアによる高速化が図られ、データ転送を含めた複写全体に要する時間をより大幅に短縮することができる。
【００６１】
さらに、請求項３に記載した発明の画像処理装置によれば、請求項１または請求項２のいずれかに記載の画像処理装置による効果に加えて、読取、印刷、ならびに複写といった複合的機能を有する一般的なファクシミリ装置に適用することができる。
【００６２】
【００６３】
【図面の簡単な説明】
【図１】  本発明にかかる画像処理装置をファクシミリ装置に適用した場合の一実施形態を示した回路ブロック図である。
【図２】  ファクシミリ装置のモード処理時におけるＣＰＵの動作手順を示したフローチャートである。
【符号の説明】
Ａ    ファクシミリ装置
Ｂ    パーソナルコンピュータ
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１１  読取部
１２  印刷部
１３  操作部
１４  表示部
１６  公衆電話回線
【図１】
0004339943.tif 000002
【図２】
0004339943.tif 000003